(57)【要約】【課題】インストルメントパネル本体１裏側に設けられ、インストルメントパネル本体１に形成したグローブボックス開口部１３に、この開口部１３を開閉可能に取り付けられるグローブボックス１１内を上方から照射するグローブボックス用照明灯４１の取付構造において、製造コストを抑える。【解決手段】インストルメントパネル本体１の裏側の空調ダクト３に、インパネ補強メンバーＲに先端部で取り付けられるブラケット部４３を一体に形成し、このブラケット部４３に照明灯４１を取り付ける。【選択図】　図１
2004106624.tif 000002
【特許請求の範囲】
【請求項１】
インストルメントパネル本体裏側に設けられ、インストルメントパネル本体に形成した開口部に該開口部を開閉可能に取り付けられるグローブボックス内を上方から照射するグローブボックス用照明灯の取付構造において、上記インストルメントパネル本体の裏側には、車幅方向に延びかつ一端がインストルメントパネル本体の車幅方向端部近傍のサイド吹出口に連通する空調ダクトが設けられ、
上記空調ダクトには、インストルメントパネル本体内を車幅方向に延びるインパネ補強メンバーに先端部で取り付けられるブラケット部が一体に形成されており、
上記ブラケット部に上記照明灯が取り付けられていることを特徴とするグローブボックス用照明灯の取付構造。
【請求項２】
請求項１のグローブボックス用照明灯の取付構造において、
ブラケット部は、下方に向かって開放口が形成された有底容器状の収容部を有し、
上記開放口からグローブボックス内を照射するように上記収容部内に照明灯が取り付けられていることを特徴とするグローブボックス用照明灯の取付構造。
【発明の詳細な説明】
【０００１】
【発明の属する技術分野】
本発明は、インストルメントパネル本体に設けたグローブボックスを照射するための照明灯の取付構造に関する技術分野に属する。
【０００２】
【従来の技術】
一般に、この種のグローブボックスは、インストルメントパネル本体に形成した開口部に、この開口部を開閉可能に取り付けられており、このグローブボックス内を上方から照射するグローブボックス用照明灯をインストルメントパネル本体裏側に設けることは知られている（例えば、特許文献１参照）。
【０００３】
【特許文献１】
特開平９−２４０３６９号公報（特に図５）
【０００４】
【発明が解決しようとする課題】
ところが、上記特許文献１のものでは、グローブボックスの上壁に取付用部材を設け、この取付用部材にグローブボックス用照明灯をグローブボックス内に露出した状態で車体下側に向かって突出するように取り付けているため、この照明灯が、グローブボックス内に収容物を収容するときに邪魔になったり、車両の走行時に収容物と接触して損傷したりするという問題がある。
【０００５】
また、グローブボックスを開いたときに、照明灯が車室内から見える位置にあるために見映えが悪い上、照明灯を常時点灯するものとした場合には車室側に光が漏れる。
【０００６】
さらに、グローブボックス上壁と別体に取付用部材を設けねばならず、コストが高くつくという問題がある。
【０００７】
本発明は斯かる諸点に鑑みてなされたものであり、その主たる目的とするところは、インストルメントパネル本体裏側の空調ダクトの取付構造を利用することにより、製造コストを抑えようとすることにある。
【０００８】
【課題を解決するための手段】
上記の目的を達成するために、請求項１の発明では、インストルメントパネル本体裏側に設けられ、インストルメントパネル本体に形成した開口部に、この開口部を開閉可能に取り付けられるグローブボックス内を上方から照射するグローブボックス用照明灯の取付構造を前提とする。
【０００９】
そして、上記インストルメントパネル本体の裏側には、車幅方向に延びかつ一端がインストルメントパネル本体の車幅方向端部近傍のサイド吹出口に連通する空調ダクトが設けられ、この空調ダクトには、インストルメントパネル本体内を車幅方向に延びるインパネ補強メンバーに先端部で取り付けられるブラケット部が一体に形成されており、このブラケット部に上記照明灯が取り付けられるようにする。
【００１０】
上記の構成によると、インストルメントパネル本体裏側の空調ダクトが該空調ダクトと一体に形成されたブラケット部を介してインパネ補強メンバーに取り付けられ、そのブラケット部にグローブボックス用照明灯が取り付けられているため、空調ダクトをインパネ補強メンバーに取り付ける既存の構造を利用でき、グローブボックス用照明灯の取付部材を別途に設ける必要がなく、製造コストが低減される。
【００１１】
請求項２の発明では、ブラケット部は、下方に向かって開放口が形成された有底容器状の収容部を有し、開放口からグローブボックス内を照射するように収容部内に照明灯が取り付けられるようにする。
【００１２】
上記の構成によると、照明灯が有底容器状の収容部内に取り付けられているため、照明灯が車室内から見えず、見映えがよい上に、グローブボックス内に収容物を出し入れするときに照明灯が邪魔にならない。
【００１３】
また、収容部が有底容器状であるためにブラケット部の剛性を上げることができる。
【００１４】
【発明の実施の形態】
以下、本発明の実施形態を図面に基づいて説明する。図２は、本発明の実施形態に係る自動車のインストルメントパネルＰを示し、このインストルメントパネルＰはその主体をなすインストルメントパネル本体１を備え、その内方で車幅方向に延びるインパネ補強メンバーＲ（図１に示す）に支持されて車体に取り付けられている。
【００１５】
このインストルメントパネル本体１は、フロントウインド（図示せず）の下端近傍から車室後側へ延びる上壁部１ａと、この上壁部１ａの後端から略鉛直下方へ延びる縦壁部１ｂとからなる。このインストルメントパネル本体１の上壁部１ａにおける車幅方向両端近傍には、乗員へ向けて調和空気が吹き出すサイド吹出口としてのサイドベント吹出口５，５がそれぞれ形成されている。また、その上壁部１ａにおけるサイドベント吹出口５，５の間の略中央部には、同様に乗員へ向けて調和空気が吹き出すセンタベント吹出口７，７が２つ車幅方向に並設されている。
【００１６】
上記インストルメントパネル本体１内部の車幅方向略中央には図示しない空調ユニットが配設されており、この空調ユニットで生成された調和空気がインストルメントパネル本体１内を車幅方向に亘って延びる空調ダクト３によって上記吹出口５，５，７，７に導かれるようになっている。
【００１７】
すなわち、上記空調ダクト３の車幅方向中央部の下壁には、図示しないが、上記空調ユニットの上部に接続される調和空気導入口が形成され、この調和空気導入口から空調ダクト３内に調和空気が導入されるようになっている。また、空調ダクト３の車幅方向中央部の車体後側壁部には、上記インストルメントパネル本体１のセンタベント吹出口７，７に接続される接続口（図示せず）が形成されている。
【００１８】
上記空調ダクト３は、車幅方向中央部よりも右側の右側ダクト部３ａ及び左側の左側ダクト部３ｂからなる。右側ダクト部３ａはインストルメントパネル本体１に配設されるメータユニット（図示せず）の車体前方を廻り込むように湾曲形成されており、その右端部が上記右側のサイドベント吹出口５に接続されている。一方、左側ダクト部３ｂは比較的直線状に形成されており、その左端部が上記左側のサイドベント吹出口５に接続されている。
【００１９】
そして、助手席側のインストルメントパネル本体１の上壁部１ａの裏側には助手席用エアバッグ装置（図示せず）の配設部９が設けられている。この助手席用エアバッグ装置配設部９よりも下側の縦壁部１ｂには、グローブボックス１１を取り付けるための取付口１３が略矩形状に開口している。
【００２０】
上記グローブボックス１１は、図１に示すように、上端に開口１１ａを有する箱状に形成されている。そして、上記グローブボックス１１の後側壁部がグローブボックス開口部１３を開閉するためのリッド部１５とされている。
【００２１】
上記グローブボックス１１の左右の側壁部１７，１７（図１では右側の側壁部を示している）の前方下端には車幅方向に延びる支軸２３，２３が一体に形成されており、この支軸２３，２３によりグローブボックス１１がインストルメントパネル本体１に支持されている。また、リッド部１５の上端側には、グローブボックス開口部１３の上縁部に取り付けたストライカと係合するロック装置（ともに図示せず）が設けられている。
【００２２】
そして、上記グローブボックス１１は、左右の側壁部１７，１７の支軸２３，２３を支点として車体前後方向に所定の範囲で回動し、リッド部１５の表面（車室側面）がインストルメントパネル本体１の表面と略連続するようになるまで前回りに回動させると、上記ロック装置とストライカとが係合し、リッド部１５がグローブボックス開口部１３を閉じた状態となって保持される。一方、グローブボックス１１を開く場合には、ロック装置とストライカとの係合状態を解除して、図１に二点鎖線で示すように車体後方へ回動させると、グローブボックス開口部１３が開状態となって、グローブボックス１１の開口１１ａが車室に臨むようになる。
【００２３】
尚、グローブボックス１１の全開は、グローブボックス１１の側壁部１７に設けられ、インストルメントパネル本体１と係合するストッパ（図示せず）により設定されるようになっている。
【００２４】
そして、上記空調ダクト３の左側ダクト部３ｂは略三角形の中空断面を有し、その車体後側の壁部に形成した突条部３ｃ，３ｃ，…をインストルメントパネル本体１の裏面に振動溶着することで、インストルメントパネル本体１に一体的に固定されている。
【００２５】
本発明の特徴として、上記空調ダクト３の左側ダクト部３ｂにはブラケット部４３が一体に形成され、このブラケット部４３はインストルメントパネル本体１内を車幅方向に延びるインパネ補強メンバーＲに取り付けられている。
【００２６】
具体的には、上記ブラケット４３は、上記左側ダクト部３ｂにおけるグローブボックス１１の略真上に対応する部位に車体前側に向かって突出するように設けられ、ブラケット部４３の先端部にはボルトＢを挿通させるボルト孔（図示せず）が設けられている。このブラケット部４３の先端部に対応する位置のインパネ補強メンバーＲにはねじ孔（図示せず）を有する取付部４７が溶接固定されており、この取付部４７にブラケット部４３の先端部を面接触させてボルトＢで締結することにより、左側ダクト部３ｂがブラケット部４３を介してインパネ補強メンバーＲに締付固定されている。尚、インストルメントパネル本体１の上壁部１ａも、その裏面に設けた車体下側に向かって延びる上側取付部３１を介してインパネ補強メンバーＲにボルトＢによって締結固定されている。この結果として、空調ダクト３に振動溶着されたインストルメントパネル本体１がインパネ補強メンバーＲに固定されるようになっている。
【００２７】
そして、上記ブラケット部４３には、上記グローブボックス１１の略真上に位置する中間部に、下方に向かって開放された開放口４９を有する有底の矩形容器状の収容部５１が形成され、この収容部５１内に照明灯４１が開放口４９からグローブボックス１１内を上方から照射するように取り付けられている。
【００２８】
上記照明灯４１は、電球５３とソケット部５５とからなり、上記収容部５１の前壁に設けた取付孔５１ａにソケット部５５を挿通して固定することで、ブラケット部４３に取付固定されるようになっている。
【００２９】
また、上記照明灯４１は、図示しない配線によって自動車のイグニッションキースイッチに接続されていて、このスイッチをオンにすると照明灯４１が常時点灯する一方、オフにすると消灯するようになっている。
【００３０】
従って、上記実施形態においては、インストルメントパネル本体１裏側の空調ダクト３が該空調ダクト３と一体に形成されたブラケット部４３を介してインパネ補強メンバーＲに取り付けられ、そのブラケット部４３にグローブボックス用照明灯４１の取付部が設けられているため、空調ダクト３をインパネ補強メンバーＲに取り付ける既存の構造を利用でき、照明灯４１の取付部材を別途に設ける必要がなく、製造コストが低減される。
【００３１】
また、照明灯４１が有底容器状の収容部５１内に取り付けられているため、照明灯４１が車室内から見えず、見映えがよい上に、グローブボックス１１内に収容物を出し入れするときに照明灯４１が邪魔にならない。
【００３２】
さらに、収容部５１が有底容器状であるためにブラケット部４３の剛性を上げることができる。これにより、ブラケット部４３の肉厚を空調ダクト３の肉厚よりも厚肉にすることもなく、また、車体の振動によりブラケット部４３が共振して異音が発生することがなくなる。また、グローブボックス１１の開閉時には、グローブボックス開口部１３上縁部のストライカ近傍に負荷がかかりやすいが、上記実施形態のように、空調ダクト３をインストルメントパネル本体１の裏面に振動溶着していると、インストルメントパネル本体１が撓むようなことはない。
【００３３】
尚、上記実施形態では、サイド吹き出し口をサイドベント吹出口５，５としているが、サイドデフロスター吹出口としてもよい。
【００３４】
【発明の効果】
以上説明したように、請求項１のグローブボックス用照明灯の取付構造によると、インストルメントパネル本体の裏側に設けられてサイド吹出口に連通する空調ダクトには、インパネ補強メンバーに先端部で取り付けられるブラケット部が一体に形成されており、このブラケット部に照明灯を取り付けたことにより、製造コストを低減できる。
【００３５】
請求項２の発明によると、ブラケット部の有底容器状の収容部内に、その開放口からグローブボックス内を照射するように照明灯を取り付けたことにより、ブラケット部の剛性を上げることができると共に、照明灯が車室内から見えずに見映えがよい上、グローブボックス内に収容物を出し入れするときに、照明灯が邪魔になるのを防ぐことができる。
【図面の簡単な説明】
【図１】図２のＩ−Ｉ線断面図である。
【図２】本発明の実施形態に係るグローブボックス用照明灯の取付構造が設けられたインストルメントパネルの全体図である。
【符号の説明】
Ｒ　インパネ補強メンバー
１　インストルメントパネル本体
３　空調ダクト
５　サイドベント吹出口（サイド吹出口）
１１　グローブボックス
１３　グローブボックス開口部（開口部）
４１　照明灯
４３　ブラケット部
５１　収容部
【図１】
2004106624.tif 000003
【図２】
2004106624.tif 000004